(57)【要約】【課題】フック１０、１０’を受け具５に挿入するだけで、手摺り２等を縦柱１に簡単に固定し得るとともに、その固定状態を確実に維持する。【解決手段】縦柱の受け具に手摺り及び足場板支持杆３の端の下向きフックが挿し込まれ、そのフックは、受け具に挿し込まれる柱状部１３と下方に伸びる弾性爪１４を有する。フック（柱状部）を受け具５に挿し込む際、弾性爪１４の弾性片１６は受け具の外面を摺動してその折曲部１８ａが受け具の下端に係止し、波状部１８ｂが圧接する。その圧接及び係止によって、手摺り２等は縦柱１に連結固定され、弾性爪の受け具の下縁への係止によって、受け具に対するフックの上方への移動が阻止されて、その連結係止が確実に維持される。弾性爪１４は、柱状部１３のウエブ片１２に沿う固定片１７を有し、その固定片はピン１９ａ、１９ｂによって柱状部１３に固定されている。ピンを引抜くことによって弾性爪１４は取換え得る。【選択図】図３
2009221786.tif 000002
【特許請求の範囲】
【請求項１】
所定の間隔をおいて配置した縦柱（１、１）の間に、手摺り（２）をその端を前記縦柱（１）に連結して架け渡すとともに、足場板（４）をその支持杆（３）の端を縦柱（１）に連結して架け渡して、前記手摺り（２）及び足場板（４）からなる足場部材（２、４）を縦柱（１、１）の間に掛け渡した仮設足場において、
上記縦柱（１）の受け具（５）に、手摺り（２）の端又は足場板支持杆（３）の端の下向きフック（１０、１０’）が挿し込まれ、そのフック（１０、１０’）は、前記受け具（５）の上縁からその外面側を下方に伸びる弾性爪（１４）を有し、その弾性爪（１４）は、前記受け具（５）の下縁に至った後、内側に折れ曲がる折曲部（１８ａ）を有し、その折曲部（１８ａ）の端から、さらに外側に折れ曲がって、前記折曲部（１８ａ）が受け具（５）の下縁に係止して前記フック（１０、１０’）の受け具（５）からの抜け止めを行っているとともに、前記フック（１０、１０’）を受け具（５）に挿し込む際、前記折曲部の端からさらに外側に折れ曲がった下端（１６ａ）は前記受け具（５）の外面よりも外側に位置するようになっていることを特徴とする仮設足場における足場部材の連結構造。
【請求項２】
上記弾性爪（１４）は、上記受け具（５）の上縁から下縁に至る間にその受け具（５）に向かう方向に折れ曲がり、さらにその端から、受け具（５）から遠ざかる方向に折れ曲がる波状部（１８ｂ）を有して、上記フック（１０、１０’）が受け具（５）に挿し込まれた際、その波状部（１８ｂ）が受け具（５）の外面に圧接することを特徴とする請求項１に記載の仮設足場における足場部材の連結構造。
【請求項３】
上記受け具（５）が平面視断面コ字状のホルダー、上記フック（１０、１０’）が前記受け具（５）内に嵌る柱状であって、上記弾性爪（１４）はその上端でもって、上記柱状部（１３）の上面に固定されていることを特徴とする請求項１又は２に記載の仮設足場における足場部材の連結構造。
【請求項４】
上記フック（１０、１０’）は、対の側片（１１、１１）とその側片の間のウエブ片（１２）とからなる平面視断面コ字状部材であり、上記弾性爪（１４）は、その対の側片（１１、１１）の間に位置して、その上端が前記ウエブ片（１２）の上端に固定されて前記フック（１０，１０’）の上端に固定された後、そのフック（１０、１０’）の開放面側に延びた後、下方に曲がっていることを特徴とする請求項３に記載の仮設足場における足場部材の連結構造。
【請求項５】
上記弾性爪（１４）は、上記ウエブ片（１２）の上端に固定された上端からそのウエブ片（１２）に沿って下方に至る固定片（１７）を有し、その固定片（１７）の下端は横方向の筒状部（１９）とされて、その筒状部（１９）に上記フック（１０、１０’）の側片（１１）を貫通した固定ピン（１９ａ）が挿し込まれ、上記フック（１０，１０’）の開放面側に延びる基部内側には上記フックの側片（１１、１１）を貫通した固定ピン（１９ｂ）が当てがわれて、その両固定ピン（１９ａ，１９ｂ）は、側片（１１、１１）から抜き差し可能であることを特徴とする請求項４に記載の仮設足場における足場部材の連結構造。
【発明の詳細な説明】
【技術分野】
【０００１】
この発明は、建築物などの構造体の外側に構築される仮設足場を構成する足場部材、すなわち、手摺り、足場板用支持杆を縦柱に連結する構造に関する。
【背景技術】
【０００２】
この種の仮設足場は、Ｈ型又は門型の建枠を建築物の壁面等に沿って適当間隔置きに並列して立設し、相互に連接する建枠同士を連結部材で連結し、さらに、これを上方に多段に連設して組立てられ、隣接する建枠の梁部の間に足場板（踏板）を架け渡すことにより構築される（特許文献１  段落０００２、図１３参照）。
【特許文献１】特開平１０−１８３９８２号公報
【０００３】
その様な仮設足場において、例えば、図１３に示すように、支柱となる縦柱１を所要の間隔で立て、その各縦柱１、１の間に手摺り２を架け渡して各縦柱１、１をその手摺り２でもって連結し、手摺り２の下部の前後の縦柱１、１の間に支持杆３を架け渡し、その左右の支持杆３、３の間に足場板４を掛け渡して構築されるものがある（特許文献２  図２〜図４参照）。
【０００４】
その手摺り２には、図１４に示すように、水平材２１の両端に斜材２２、２２をその一端でもって回転自在に連結したもの（先行手摺筋交い）がある。この手摺り２は、同図（ａ）に示すように、対の斜材２２、２２を持って、その水平材２１の両端を左右の縦柱１、１に連結した後（同図（ｂ））、まず、一方の斜材２２の下端を縦柱１に連結し（同図ｃ））、つぎに、他方の斜材２２の下端を縦柱１に連結して（同図ｄ））、縦柱１、１の間に取付けられる（特許文献２  図１〜図４参照）。
【０００５】
また、その対の斜材２２、２２の下端連結部において、上記の支持杆３が前後の縦柱１、１の間に架け渡され、その左右の支持杆３、３の間に足場板４を掛け渡す。
【特許文献２】特開２００２−３１７５５２号公報
【０００６】
その手摺り２、支持杆３と縦柱１との連結手段として、例えば、縦柱１の受け具５に各部材２１、２２、３のフック２ａを嵌め込んで係止し、そのフック２ａと受け具５の間等に楔を打ち込んで抜け止めをする（固定離脱を防止した）ものがある（例えば、特許文献２  図９、図１５、特許文献３図１等参照）。
【特許文献３】実開平０７−４６８３号公報
【発明の開示】
【発明が解決しようとする課題】
【０００７】
しかし、上記の手摺り２や支持杆３の縦柱１への連結固定は、フック２ａを受け具５に挿入した後、ハンマー等で楔を打ち込む必要があるので、その作業に手間がかかっていた。
【０００８】
この発明が解決しようとする課題は、以上の点に鑑み、楔に代えて、フックを受け具に挿入するだけで、手摺り２や支持杆３を縦柱１に簡単に固定し得るとともに、その固定状態を確実に維持するようにすることである。
【課題を解決するための手段】
【０００９】
上記課題を解決するために、この発明は、上記楔に代えて、フックの受け具への嵌め込み係止とともに、フックに設けた弾性爪をその受け具の外面から受け具の下縁に係止するようにしたのである。
このようにすれば、フックの受け具への嵌め込み係止によって、手摺りや支持杆は縦柱に連結固定され、弾性爪の受け具の下端への係止によって、縦柱（受け具）に対するフックの上方への移動が阻止されて、その連結固定が確実に維持される。
【００１０】
この発明の構成としては、所定の間隔をおいて配置した縦柱の間に、手摺りをその端を前記縦柱に連結して架け渡すとともに、足場板をその支持杆の端を縦柱に連結して架け渡し、前記手摺り及び足場板からなる足場部材を縦柱の間に掛け渡した仮設足場において、前記縦柱の受け具に、手摺りの端又は足場板支持杆の端の下向きフックが挿し込まれ、そのフックは、前記受け具の上縁からその外面側を下方に伸びる弾性爪を有し、その弾性爪は、前記受け具の下縁に至った後、内側に折れ曲がる折曲部を有し、その折曲部の端から、さらに外側に折れ曲がって、前記折曲部が受け具の下縁に係止して前記フックの受け具からの抜け止めを行っているとともに、前記フックを受け具に挿し込む際、前記折曲部の端からさらに外側に折れ曲がった下端は前記受け具の外面よりも外側に位置するようになっている構成を採用できる。
【００１１】
この構成においては、上記フックを受け具に挿し入れる際、上記弾性爪の下端（折曲部の端からさらに外側に折れ曲がった下端）が受け具の外面より外側に位置するため、弾性爪が、そのフックを受け具に挿し入れる際の邪魔とならず、フックの挿し込みにつれて、弾性爪（折曲部及びその端からさらに外側に折れ曲がった部分）は受け具によりその外方に押されつつその受け具の外面を下り、やがて、折曲部が受け具の下縁に係止してフックの受け具からの抜け止めを行う。
その弾性爪のフックに対する取付け位置は、上記受け具の上縁からその外面を下方に伸びる態様なら何れでもよく、例えば、縦柱の径方向の外面であったり（実施形態の図３参照）、その径方向に対する直角方向であったりしてもよい。要は、フックの挿し込みとともに、受け具の下端に係止する位置であれば良い。
【００１２】
上記弾性爪の形状は、上記の機能を発揮し得るものであれば、何れでも良いが、例えば、上記受け具の上縁から下縁に至る間に、その受け具に向う方向に折れ曲がり、さらにその端から、受け具から遠ざかる方向に折れ曲がる波状部を有して、上記フックが受け具に挿し込まれた際、その波状部が受け具の外面に圧接するようにすれば、その波状部の圧接によって、弾性爪の折曲部の係止がしっかりしたものとなり、フックの抜け止め作用が向上する。
【００１３】
上記受け具の形状は、フックが挿し込まれる孔を有し、かつ、弾性爪が受け具の下端に係止し得るものであれば、四角筒状、円筒、菱形筒状等と任意であるが、例えば、平面視断面コ字状のホルダーとして、その向かい合う側壁の側縁を縦柱に固定して四角筒状とした場合、前記フックを、その受け具の断面コ字状のホルダー内の孔に嵌る柱状（筒状含む）とし、前記弾性爪はその上端でもって、そのフックの上面に固定されている構成を採用できる。
【００１４】
この受け具とフックの構成の場合、そのフックは、対の側片とその側片の間のウエブ片とからなる平面視断面コ字状部材とし、上記弾性爪は、その対の側片の間に位置して、その上端が前記ウエブ片の上端に固定されて前記フックの上面に固定された後、そのフックの開放面側に延びて受け具の上縁から下方に曲がっているものとすれば、弾性爪がフック内に入り得るため、弾性爪の係止作用が円滑である。因みに、フックの形状が平面視断面コ字状でないと、弾性爪の起伏用スペースをフックに設ける必要がある。
【００１５】
上記弾性爪をフックに取付ける態様としては、ねじ止め、溶接等の周知の手段を採用できるが、この手摺りは使用頻度が高いため、弾性爪の耐久性は勢い短くなるため、早期に交換する必要がある。
このため、例えば、弾性爪を、上記ウエブ片の上端に固定された上端からそのウエブ片に沿って下方に至る固定片を有するものとして、その固定片の下端は横方向の筒状部とされて、その筒状部に上記フックの側片を貫通した固定ピンが挿し込まれ、前記フックの開放面側に延びる基部内側には前記フックの側片を貫通した固定ピンが当てがわれて、その両固定ピンは、側片から抜き差し可能である取付け構造とすれば、固定ピンを引抜くことによってフックから弾性爪を取り外しすることができる。これにより、弾性爪の交換作業を容易にすることができる。
【発明の効果】
【００１６】
以上のように、この発明は、弾性爪でもって、手摺りや足場板支持杆の縦柱への連結固定状態を確実に維持するようにしたので、その作業が簡単となる。
【発明を実施するための最良の形態】
【００１７】
以下、この発明の実施の形態を図面を参照しながら説明する。図１〜図１１にその一実施形態を示し、この実施形態の仮設足場は、図１３に示した従来と同様に、支柱となる縦柱１を建造物の側壁等に沿って前後左右に所要の間隔で立て、その各縦柱１、１の間に手摺り２を架け渡して各縦柱１、１をその手摺り２でもって連結し、手摺り２の下部の前後の縦柱１、１の間に支持杆３を架け渡し、その左右の支持杆３、３の間に足場板４を掛け渡して構築される。
【００１８】
各縦柱１は、図２、図５に示すように、その長さ方向（上下方向）に所要間隔に周囲等間隔で４つの受け具（ホルダー）５を有する。この受け具５は、対の側壁７、７とその側壁７、７の間を連結する端壁８とからなる平面視断面コ字状であり、金属板をコ字状に折り曲げて形成され、その向かい合う側壁７、７の側縁が縦柱１に溶接して固定される。
また、手摺り２も、図１に示すように、水平材２１の両端に斜材２２、２２をその一端でもってヒンジ２６を介して回転自在に連結したものであり、その両端は蓋６で塞がれている。
以上は従来と同様であって、この発明は、手摺り２と足場用支持杆３の端のフック１０、１０’の構造に特徴がある。
【００１９】
その手摺り水平材２１のフック１０は、図６に示すように、下方に伸びる対の側片１１、１１とその側片１１、１１の間を連結するウエブ片１２とからなる平面視断面コ字状に形成されて、受け具５の孔５ａに嵌まり込む柱状部１３と、対の側片１１、１１の間に設けられる弾性爪１４とを有している。柱状部１３は、金属板をコ字状に折り曲げて形成され、蓋６の下端部に形成された突出片６ａにウエブ片１２の上端部が溶接により固定される。この固定によって、フック１０が手摺り２の水平材２１と一体になる。
【００２０】
弾性爪１４は、図４、６に示すように、柱状部１３のコ字状上端縁に沿う上板１５の前後に下方に延びる弾性片１６、１７を有している。その前側の下方に延びる弾性片１６は、波状部１８ｂを経て内側に折れ曲がる折曲部１８ａとなり、さらに外側に向かって折れ曲がっている。
一方、後側（ウエブ片１２に沿う）の下方に延びる弾性片１７の下端は、ウエブ片１２側に折れ曲がる横方向の筒状部１９が形成され、この筒状部１９に対の側片１１、１１の下端部を貫通した固定ピン１９ａが挿し込まれている。また、対の側片１１、１１の上端部を貫通した固定ピン１９ｂが弾性片１７の内側を通っており、この両ピン１９ａ、１９ｂにより、弾性爪１４は、フック柱状部１３に固定されて対の側片１１、１１の間から抜け落ちない。固定ピン１９ａ、１９ｂは一端をカシメること等によって抜け止めする。
なお、両固定ピン１９ａ、１９ｂは、抜け止めを解除することによって対の側片１１，１１から抜き差し可能であり、これにより、弾性爪１４の交換作業を容易にすることができる。
【００２１】
手摺り斜材２２のフック１０’も、上記の手摺り水平材２１のフック１０と同様に、図８、図１０に示すように、下方に伸びる対の側片１１、１１とその側片１１、１１の間を連結するウエブ片１２とからなる平面視断面コ字状に形成されて、受け具５の孔５ａに嵌まり込む柱状部１３と、対の側片１１、１１の間に設けられる弾性爪１４とを有している。これまでの構成は、両フック１０、１０’ともに同一である。
【００２２】
斜材２２側のフック１０’が異なる点は、その柱状部１３の下方への長さは短くなっている。この短くしたのは、斜材２２のフック１０’は縦柱１の受け具５に対して斜めに入り込む（嵌合する）ため、その際の下記回動範囲を少なくするためである。
その柱状部１３の両側片１１、１１は弾性爪１４の上板１５より上方に延び、その両側片１１ａ、１１ａの間に斜材２２の蓋６側面の支軸２３が嵌って、この支軸２３に対の側片１１ａ、１１ａを貫通した固定ピン２４が通っている。このピン２４によって、斜材２２に対してフック１０’はリブ状ストッパー２５ａ、２５ｂの間を回動自在となっている。ストッパー２５ａ、２５ｂは、支軸２３の側面に設けられて、側片１１ａの縁に当接することによってフック１０’（柱状部１３）のそれ以上の回転を阻止する（図１１（ａ）、（ｂ）参照）。
【００２３】
上記足場板支持杆３の両端には、水平材２１と同様のフック１０が設けられ、そのフック１０を前後の縦柱１、１の向かい合う受け具５、５に挿し入れる（嵌める）ことによって、その支持杆３は縦柱１、１の間に架け渡される。
【００２４】
この実施形態の手摺り２等は以上の構成であり、その縦柱１への取付けは、図１４と同様であり、同図（ａ）に示すように、対の斜材２２、２２を持って、その水平材２１の両端を左右の縦柱１、１に連結した後（同図（ｂ））、まず、一方の斜材２２の下端を縦柱１に連結し（同図ｃ））、つぎに、他方の斜材２２の下端を縦柱１に連結して（同図ｄ））、縦柱１、１の間に取付けられる（特許文献２  図１〜図４参照）。
【００２５】
その手摺り２の各端はフック１０、１０’を縦柱１の受け具５に嵌めることによって縦柱１に連結する。その水平材２１の両端のフック１０は、図５の鎖線で示すように受け具５に挿し込む。すなわち、図７（ａ）に示すように、まず、フック柱状部１３下部を受け具５に挿し込み、つづいて、同図（ｂ）に示すように、水平材２１（フック１０）を押し下げると、その押し下げにつれて柱状部１３は受け具５内に入り込み、やがて弾性爪１４（弾性片１６）の下端１６ａが受け具５上端に至る。このとき、その弾性片１６の下端１６ａは受け具５の端壁８より外側に位置するため、柱状部１３の挿し込みにつれて弾性片１６は受け具端壁８の外面を摺動し、やがて、図４に示すように、その弾性片１６の折曲部１８ａが受け具５の下縁に係止するとともに、波状部１８ｂが端壁８上面に圧接する。この圧接及び前記係止によって、フック１０が受け具５に容易に抜けない状態で係止して、水平材２１の端が縦柱１に確実に連結される。
【００２６】
また、斜材２２のフック１０’は、図１０の鎖線で示すように受け具５に挿し込む。すなわち、図１１（ａ）に示すように、まず、斜材２２を受け具５の下側から、フック柱状部１３下部が受け具５より上側になるように位置させた後、フック柱状部１３を受け具５に挿し込む。このとき、フック１０’はストッパー２５ａ、２５ｂによりその回動範囲を規制されながら挿し込まれる。
【００２７】
つづいて、同図（ｂ）に示しように、斜材２２の端（フック１０’）をさらに押し下げると、その押し下げにつれて柱状部１３は受け具５内に入り込み、やがて弾性片１６の下端１６ａが受け具５上端に至る。このとき、上記と同様に、その弾性片１６の下端１６ａは受け具５の端壁８より外側に位置するため（同図（ｂ）参照））、柱状部１３の挿し込みにつれて弾性片１６は受け具端壁８の外面を摺動し、やがて、図９に示すように、その弾性片１６の折曲部１８ａが受け具５の下縁に係止するとともに、波状部１８ｂが端壁８上面に圧接する。この圧接及び前記係止によって、フック１０’が受け具５に容易に抜けない状態で係止して、斜材２２の端が縦柱１に確実に連結される。なお、この作用によって、斜材２２のフック１０’が受け具５に円滑に嵌るように、ストッパー２５ａ、２５ｂの間隔及び位置は適宜に設定する。
【００２８】
以上のようにして、手摺り２を各縦柱１、１の間の左右及び上下に亘って架け渡し、手摺り２の下部の前後の縦柱１、１の間に、支持杆３をそのフック１０を水平材２１のフック１０と同様な作用によって受け具５に嵌め込むことによって架け渡し、その左右の支持杆３、３の間に足場板４をそのフック４ａでもって掛け渡す（図８鎖線参照）。
【００２９】
この作用によって、建造物の側壁に沿う足場を構築する。この構築された仮設足場を外す（取り崩す）場合は、従来と同様に、上記の作用の逆作用によって行う。その際、各フック１０、１０’は水平材２１、斜材２２及び支持杆３を強く上側に押し上げれば（叩けば）、弾性爪１４（弾性片１６）は外側への撓みでもって受け具５から外れる。しかし、棒などによって、弾性片１６の下端１６ａを外側に反らしてその折曲部１８ａと受け具５下縁との係止を外すことによって、円滑に各フック１０，１０’を受け具５から外すようにすることが好ましい。
【００３０】
この実施形態の斜材フック１０’は、斜材２２に対してストッパー２５ａ、２５ｂの規制範囲内において回動自在としたが、水平材フック１０のように、斜材２２に対して固定したものとし得る。その場合には、受け具５を縦柱１の径方向外側に（図１１（ａ）右方向）大きくして（側壁７の幅を広くして）、フック１０’の回動で吸収していたフック１０’のその外側への移動（図１１（ａ）から同（ｂ））を吸収するようにする。また、固定ピン２４の貫通する支軸２３の孔を図示しないが長孔としてフック１０’をその支軸２３の軸方向に移動可能としてフック１０’の受け具５への嵌り込みを円滑にし得る。
【００３１】
上記各実施形態では、弾性爪１４（弾性片１６）の折曲部１８ａを、受け具５の端壁８の下縁外面側から受け具５に向かって折れ曲がって端壁８の下縁に単に係止する形状としたが、図１２（ａ）に示すように、弾性爪１４の折曲部１８ａを、端壁８の下縁より僅かに上方に折れ曲がった形状として、端壁８の下縁との係止を鈎状として強固にすることもできる。また、同図（ｂ）に示すように、波状部１８ｂを省略することもできる。
【００３２】
上記フック１０、１０’は、折曲部１８ａが受け具５の端壁８の下縁に係止することにより、受け具５からの抜け止めをしたが、弾性爪１４を受け具５の側壁７側に設けてその下縁に折曲部１８ａを係止するようにすることもできる。また、受け具５は、平面視断面コ字状に形成したが、フック１０、１０’が挿し込まれる孔５ａを有し、かつ、弾性爪１４（折曲部１８ａ）が受け具５の何れかに係止して抜け止めがなされれば、その態様は、四角筒状、円筒、菱形筒状等と任意である。
【００３３】
手摺り２の各端及び支持杆３の両端は、それらの全てに上記フック１０、１０’を設ける必要はなく、例えば、水平材２１の両端のみに上記フック１０を取付けたり、支持杆３の両端のみにフック１０を取付けたり、斜材２２の下端のみにフック１０’を取付けたり、水平材２１及び支持杆３のみにフック１０を取付けたり等と、フック１０、１０’の取付け態様は任意である。このフック１０、１０’を取付けない端は、従来の楔用フック２ａなどを取付ける。
【００３４】
手摺り２としては、斜材２２がない水平材２１のみのもの、斜材２２が一方のみのもの等があり、それらのいずれにもこの発明を採用できることは勿論である。
【図面の簡単な説明】
【００３５】
【図１】この発明の一実施形態の手摺りの正面図
【図２】同実施形態の手摺りを縦柱に取付けた正面図
【図３】手摺りの水平材端の取付け状態斜視図
【図４】同取付け状態切断正面図
【図５】同取付け作用図
【図６】同水平材端のフックの分解斜視図
【図７】同取付け作用図
【図８】手摺りの斜材端の取付け状態斜視図
【図９】同取付け状態切断正面図
【図１０】同取付け作用図
【図１１】同取付け作用図
【図１２】他の実施形態のフックを縦柱の受け具に嵌めた状態の切断正面図
【図１３】仮設足場の概略斜視図
【図１４】手摺りの取付け作用図
【符号の説明】
【００３６】
１        縦柱
２        柱
３        足場板支持杆
４        足場板
５        受け具
１０、１０’  フック
１４  弾性爪
１６、１７  弾性片
１８ａ  折曲部
１８ｂ  波状部
２１  手摺りの水平材
２２  手摺りの斜材
【図１】
2009221786.tif 000003
【図２】
2009221786.tif 000004
【図３】
2009221786.tif 000005
【図４】
2009221786.tif 000006
【図５】
2009221786.tif 000007
【図６】
2009221786.tif 000008
【図７】
2009221786.tif 000009
【図８】
2009221786.tif 000010
【図９】
2009221786.tif 000011
【図１０】
2009221786.tif 000012
【図１１】
2009221786.tif 000013
【図１２】
2009221786.tif 000014
【図１３】
2009221786.tif 000015
【図１４】
2009221786.tif 000016